(57)【要約】【課題】衣服の生地に通気性の良い素材を使用することで、熱のこもらないペット用衣服を提供する。【解決手段】ペット１の胴体部分を覆う胴体被覆部６と、前脚被覆部４と、後脚被覆部５とからなるペット用衣服２は、胴体被覆部６の背面部分に通風孔となるメッシュ体３と、メッシュ体３を覆うカバー部７とを備えて構成される。カバー部７は、胴体被覆部６に対して開閉自在に取り付けられている。【選択図】　図４
2004073020.tif 000002
【特許請求の範囲】
【請求項１】
ペットの胴体部分を覆う胴体被覆部と、該胴体被覆部に連接された前脚被覆部及び後脚被覆部とを備えたペット用衣服において、前記胴体被覆部の一部分に通風部が使用されていることを特徴とするペット用衣服。
【請求項２】
前記通風部は、メッシュ（格子）状に構成されていることを特徴とする、請求項１に記載のペット用衣服。
【請求項３】
前記通風部には、当該通風部を覆うカバー部が設けられ、前記カバー部は、前記通風部に対して開閉自在に取り付けられていることを特徴とする請求項１又は２記載のペット用衣服。
【発明の詳細な説明】
【０００１】
【発明の属する技術分野】
本発明は、犬・猫等のペットに着せる衣服に係り、ペットの体温調節を妨げない効果を備えた衣服に関する。
【０００２】
【従来の技術】
犬・猫等のペットを飼うにあたって、飼い主はそのペットが汚れたり、散歩時等に雨・雪等に濡れたりしないように、などの理由で衣服を着用させていることが多い。この場合、防水性や防塵性が要求されるため、衣服の生地としては、比較的通気性の良くない布地が使用されていることが多かった。
【０００３】
【発明が解決しようとする課題】
しかしながら、このような従来の技術では、衣服とペットとの間に熱がこもってしまう。それでは、汗腺があまり発達しておらず、体温調節をすることが困難である犬・猫等のペットにとっては、不快であり、散歩や運動の効果も得られないことになる。しかし、雨の日の散歩時において、たとえ、雨が止んだとしても、地面や草むらの中は、水滴が残っており、これがペットの足や腹部への泥はねとなることは避けられない。特に、大型犬の場合は、土や泥等で汚れると、体を洗うのに手間と時間が掛かってしまうことから、その衣服を脱がすことができない。
【０００４】
そこで、本発明は、衣服の生地に通気性の良い素材を使用することで、熱のこもらないペット用衣服を提供することを目的とする。
【０００５】
【課題を解決するための手段】
上記目的を達成するために、請求項１の発明は、ペットの胴体部分を覆った胴体被覆部と、当該胴体被覆部に連接された前脚被覆部及び後脚被覆部とを備えたペット用衣服において、前記胴体被覆部の一部分に、通風部が設けられていることを特徴とする。この衣服によれば、通気性が向上するため、該衣服とペットとの間に熱がこもることを防止することができる。さらに、熱がこもらないということは、ペットの防臭・抗菌効果を発揮することができ、ペットが楽しく快適な生活を送ることができる。
【０００６】
請求項２の発明は、請求項１記載のペット用衣服において、前記通風部が、メッシュ（格子）状に構成されているということを特徴とする。この衣服によれば、通気性を向上させることが可能となるだけではなく、雨、泥等を除ける効果も得られる。よって、悪天候の時や足元が悪い時でも、ペットの体を汚すことなく、散歩や運動の効果を得ることができる。
【０００７】
請求項３の発明は、請求項１または請求項２に記載のペット用衣服において、前記通風部には、当該通風部を覆うカバー部が設けられ、前記カバー部は、前記通風部に対して開閉自在に取り付けられていることを特徴とする。この衣服によると、悪天候の時には、カバー部を取り付けることによって、雨、泥等を除ける効果を向上させることができる。一方で、雨が止んだ後や、天気の良い時には、カバー部を外すことによって、雨、泥等を除ける効果を保持しつつ、通気性を向上させることができる。このように、天候または目的に応じた使用を臨機応変に行うことができる。
【０００８】
【発明の実施の形態】
以下、本発明の実施の形態を添付図面に基づいて説明する。
【０００９】
１．　実施の形態の構成
１−１．全体構成
図１は本発明の一実施形態に関わるペット用衣服を犬１に装着した外観図、図２はそのペット用衣服の展開図の一例である。
【００１０】
本実施例のペット用衣服２は、ペットの胴体部分をその上方から覆った胴体被覆部６と、この胴体被覆部６の一端に付けられた筒状の前脚被覆部４（左右合わせて２本）及び、そのもう一端に付けられた後脚被覆部５（左右合わせて２本）と胴体被覆部６の前脚被覆部４のある側に円形に付けられた襟部８、そして、胴体被覆部６の背中部分にあるメッシュ体３を備えている。また、メッシュ体の配置場所であるが、ここで述べたような胴体被覆部６の背面部分に限定されるものではない。例えば、全身をメッシュ体にしたり、複数箇所に通風体３を設けた場合は、さらに通気性を向上させるものになると考えられる。
【００１１】
胴体被覆部６の背面にあるメッシュ体３の上部にはカバー部７が覆われており、カバー部７はファスナー、マジックテープ（商標）等で固定でき、開閉が自由自在なものとなっている。そのカバー部７の取り付け方はペットの背に沿って開閉するものであってもよいし、ペットの背を開くようにして開閉するものであってもよい。また、カバー部７は単に開閉自在でペット衣服２自体から取り外しできるものであってもよいし（図５）、取り外しできないものであってもよい（図４）。
【００１２】
１−２．実施の形態の作用
以上のような構成を有する本実施の形態は以下の通りである。
即ち、図４に示すように、ペット１の胴体部分を覆った胴体被覆部６と、胴体被覆部６に連接された前脚被覆部４及び後脚被覆部５とを備えたペット用衣服２において、胴体被覆部６の一部分に、通風部３が設けられている。また、通風部３はメッシュ（格子）状に構成されている。さらに、通風部３には、通風部３を覆うカバー部７が設けられ、カバー部７は、通風部３に対して開閉自在に取り付けられていることを特徴とする。
【００１３】
１−３．実施の形態の効果
以上のように作用する衣服２は、以下のような特有の効果を奏する。この衣服によれば、通気性が向上するため、該衣服とペットとの間に熱がこもることを防止することができる。さらに、熱がこもらないということは、ペットの防臭・抗菌効果を発揮することができ、ペットが楽しく快適な生活を送ることができる。また、通気性を向上させることが可能となるだけではなく、雨、泥等を除ける効果も得られる。よって、悪天候の時や足元が悪い時でも、ペットの体を汚すことなく、散歩や運動の効果を得ることができる。そして、悪天候の時には、カバー部を取り付けることによって、雨、泥等を除ける効果を向上させることができる。一方で、雨が止んだ後や、天気の良い時には、カバー部を外すことによって、雨、泥等を除ける効果を保持しつつ、通気性を向上させることができる。このように、天候または目的に応じた使用を臨機応変に行うことが可能となる。
【００１４】
２．　他の実施の形態
本発明は上記のような実施の形態に限定されるものではなく、例えば、以下のような実施の形態を含む。
【００１５】
即ち、他の実施の形態の一例として、本発明のペット用衣服２に関して、胴体被服部６に設けられる通風部はメッシュ体３は格子模様に限定されるものではないということである。例えば、ペットの背面を覆うように縞模様のメッシュ体（図６）でもよいし、幾何学模様や等高線状になったモアレ模様などにしても、ファッション目的としての役割を果たすことができる。
【００１６】
【発明の効果】
以上に示したように、本発明によれば、通気性が向上し、衣服とペットとの間に熱がこもるのを防止するだけでなく、雨、泥等を除けることを可能にした衣服を提供することができる。これによって、ペットの体を汚すことなく、散歩や運動の効果を得ることができ、ペットが楽しく快適な生活を送ることができる。また、悪天候の時には、カバー部を取り付けることによって、雨、泥等を除ける効果を向上させることができる。一方で、雨が止んだ後や、天気の良い時には、カバー部を外すことによって、雨、泥等を除ける効果を保持しつつ、通気性を向上させることができる。このように、天候または目的に応じた使用をも臨機応変に行うことができる。
【図面の簡単な説明】
【図１】本ペット用衣服の展開図（裏から見た図・カバー７を付けた図）
【図２】本ペット用衣服の展開図（裏から見た図・カバー７を外した図）
【図３】本ペット用衣服をペットに装着する説明図（カバー７を付けた図）
【図４】本ペット用衣服をペットに装着する説明図（カバー７を外した図・開閉可能）
【図５】本ペット用衣服をペットに装着する説明図（カバー７を外した図・着脱可能）
【図６】通風部が縞模様のメッシュ体である本ペット用衣服の説明図
【符号の説明】
１…犬（ペット）
２…ペット用衣服
３…通風体（背面部メッシュ体）
４…前脚被覆部
４ａ…左前脚被覆部
４ｂ…右前脚被覆部
５…後脚被覆部
５ａ…左後脚被覆部
５ｂ…右後脚被覆部
６…胴体被覆部
６ａ…左胴体被覆部
６ｂ…右胴体被覆部
７…カバー部
８…襟部
９ａ…左前身ごろ
９ｂ…右前身ごろ
【図１】
2004073020.tif 000003
【図２】
2004073020.tif 000004
【図３】
2004073020.tif 000005
【図４】
2004073020.tif 000006
【図５】
2004073020.tif 000007
【図６】
2004073020.tif 000008